(57)【特許請求の範囲】
【請求項１】
光源と、この光源を納装し前記光源の光を放出する誘光開口を有する器具本体と、前記誘光開口に設けられたルーバとを備え、前記ルーバは互いに略同じ高さで所定の間隔に配置した主ルーバと、この主ルーバの間に設けられた副ルーバとを有し、前記副ルーバは前記主ルーバの高さより低く、前記副ルーバの下端が前記主ルーバの下端より上方となり、前記主ルーバの上端と前記副ルーバの上端が互いに略等しい高さに位置し、さらに前記副ルーバがその並びの一方向に深い遮光角を形成するように前記副ルーバは互いに対向する前記主ルーバの一方側に片寄って配置された照明器具。
【請求項２】
前記光源は片口金ランプであり、前記光源とそのランプソケットが前記主ルーバと前記副ルーバの並び方向に並び、かつ前記ランプソケット側が前記主ルーバと前記副ルーバの非近接側となるように配置されている請求項１記載の照明器具。
【請求項３】
前記主ルーバと直交する方向に前記主ルーバと等しい高さの交差ルーバを配置した請求項１記載の照明器具。
【請求項４】
前記ルーバは前記誘光開口の開口方向の軸の回りに１８０°回転した反転状態で前記器具本体に取付可能である請求項１、請求項２または請求項３記載の照明器具。
【発明の詳細な説明】
【０００１】
【発明の属する技術分野】
この発明は、蛍光灯等の照明器具に関するものである。
【０００２】
【従来の技術】
病院や老人保健施設等の施設において、ベッドの上部に取付けられた器具は、看者の目線からランプ光が直接見えるため、輝度が高く不快であった。
【０００３】
これを解決するため、パネル付照明器具や間接型照明器具等があるが、ルーバ付照明器具においては適当な商品がなかった。
【０００４】
【発明が解決しようとする課題】
ルーバ付照明器具の場合、患者からの目線から直接光が見えないようにするには、すなわち深い遮光角をもたすには、ルーバのピッチを狭くし枡目を多くしたり、ルーバの高さを高くする等が考えられるが、いずれもコストが高くなり、器具効率が悪くなるという欠点があった。
【０００５】
したがって、この発明の目的は、ルーバ付照明器具において、患者の目線から不快なグレア（輝度）を低減することができる照明器具を提供することである。
【０００６】
【課題を解決するための手段】
請求項１記載の照明器具は、光源と、この光源を納装し前記光源の光を放出する誘光開口を有する器具本体と、前記誘光開口に設けられたルーバとを備え、前記ルーバは互いに略同じ高さで所定の間隔に配置した主ルーバと、この主ルーバの間に設けられた副ルーバとを有し、前記副ルーバは前記主ルーバの高さより低く、前記副ルーバの下端が前記主ルーバの下端より上方となり、前記主ルーバの上端と前記副ルーバの上端が互いに略等しい高さに位置し、さらに前記副ルーバがその並びの一方向に深い遮光角を形成するように前記副ルーバは互いに対向する前記主ルーバの一方側に片寄って配置されたものである。
【０００７】
請求項１記載の照明器具によれば、器具の下方に人が横たわって器具を見上げたときに副ルーバにより深い遮光角が得られ、ランプの直射光が見えないためまぶしさを感じないとともに、主ルーバ同志の間隔を広く確保し、かつ主ルーバの高さも低く抑えられるため、コストを低下でき、器具効率が副ルーバがないときの器具効率よりも改善される。
また主ルーバと副ルーバとはその上端が互いに略等しい高さに位置するとともに、前記副ルーバは互いに対向する前記主ルーバの一方側に片寄って配置されたため、人が横たわって器具を見上げるのではなく立って器具を見上げた場合には、主ルーバのみが見えて副ルーバは見えなくできるため意匠的にすっきりし、左右および前後対称に見えるので違和感がなく使用できる。
【００１０】
請求項２記載の照明器具は、請求項１において、前記光源が片口金ランプであり、前記光源とそのランプソケットが前記主ルーバと前記副ルーバの並び方向に並び、かつ前記ランプソケット側が前記主ルーバと前記副ルーバの非近接側となるように配置されているものである。
【００１１】
請求項２記載の照明器具によれば、請求項２と同様な効果のほか、ランプソケットは発光しないため器具本体が暗くなるが、その近傍のルーバは副ルーバが離れており、ルーバ開口を大きくとっているため、どのルーバ開口部からもほぼ均一に光を出すことができ、ルーバ同志の輝度むらが少ない。
【００１２】
請求項３記載の照明器具は、請求項１において、前記主ルーバと直交する方向に前記主ルーバと等しい高さの交差ルーバを配置したものである。
【００１３】
請求項３記載の照明器具によれば、請求項１と同様な効果がある。
【００１４】
請求項４記載の照明器具は、請求項１、請求項２または請求項３において、前記ルーバが前記誘光開口の開口方向の軸の回りに１８０°回転した反転状態で前記器具本体に取付可能なものである。
【００１５】
請求項４記載の照明器具によれば、請求項１、請求項２または請求項３と同様な効果のほか、遮光角が２方向とも同じ場合は施工後にいずれのかの方向に取付けることができ、遮光角が２方向で異なる場合は施工後にベッドの向きに応じてルーバの取付方向を適宜変更することができる。
【００１６】
【発明の実施の形態】
この発明の第１の実施の形態を図１および図２により説明する。すなわち、この照明器具は、光源１と、器具本体２と、ルーバ３とを有する。
【００１７】
光源１は、例えば片口金蛍光ランプなどの片口金ランプを用い、２個のランプソケット４にそれぞれ装着されている。１１は豆ランプ、１２はそのランプソケットである。
【００１８】
器具本体２は、光源１を納装し光源１の光を放出する誘光開口５を有する。実施の形態では天井６の埋込穴７に埋め込む埋込型であり、略長方体の箱型をなし、下面を誘光開口５としている。器具本体２の一対向側部にマジックばね１６を取付け、マジックばね１６で枠部１７を下降可能かつ係脱自在に吊り上げ、枠部１７の周縁を天井６の埋込穴７の縁部下面に係止している。各ランプソケット４は他対向側部の天部近くに取付けられ、ランプソケット４に装着された光源１は先端が器具本体１の他側部に接近するように水平に取付けられている。なおランプソケット４を天部に取付けてもよい。ランプソケット１２は天部中央に取付けられる。また光源１の背面すなわち上側および両側に位置するように反射板１３が取付けられている。
【００１９】
ルーバ３は、誘光開口５に設けられている。このルーバ３は互いに略同じ高さで所定の間隔に配置した複数の主ルーバ８と、これらの主ルーバ８の間に設けられ主ルーバ８の高さより低い副ルーバ９を有し、副ルーバ９の下端は主ルーバ８の下端より上方となるように配置している。また主ルーバ８と副ルーバ９とはその光源１のある側である上端が互いに略等しい高さに位置するとともに、図１に示すように副ルーバ９は互いに対向する主ルーバ８の一方側に片寄って互いに平行に配置されている。また光源１とランプソケット４の並び方向に対して光源１のランプソケット４側が主ルーバ８と副ルーバ９との非近接側となるように配置されている。さらに図２に示すように主ルーバ８と直交する方向に主ルーバ８と等しい高さの交差ルーバ１０を配置している。主ルーバ８、副ルーバ９および交差ルーバ１０はそれぞれ等しい高さであり、垂直姿勢をとっている。これらのルーバは枠部１７に一体的に取付けられ、端部の主ルーバ８を兼ねた外枠２０と外枠２０に保持された主ルーバ８と副ルーバ９により構成されている。枠部１７はマジックばね１６により係脱可能に取付けられているため、枠部１７は器具本体２の誘光開口５に着脱自在に取付けられ、かつ誘光開口５の開口方向の軸の回りに１８０°回転した反転状態で取付可能にしている。なお枠部１７および外枠２０は木製にしているが、プラスチック製、金属製でも可能である。主ルーバ８、副ルーバ９および交差ルーバ１０も同様な材料を使用できる。
【００２０】
図中、Ｌ1 は外枠２０の側壁とそれに対向する主ルーバ８との間隔、Ｌ2 は主ルーバ８間の間隔、Ｌ３は外枠２０の前記と反対側の側壁とそれに対向する主ルーバ８との間隔であり、前記したようにＬ1 ＝Ｌ2 ＝Ｌ3 である。Ｌ4 は主ルーバ８と接近した副ルーバ９との間の間隔、Ｌ5 は副ルーバ９と主ルーバ８とは反対側の外枠２０の一側壁との間隔であり、前記したようにＬ4 ＜Ｌ5 である。Ｌは枠部１７の両側壁と交差ルーバ１０との間隔および交差ルーバ１０間の間隔で相互に等しく、かつＬ1 ＝Ｌである。θはランプ軸に対する遮光角であり、例えば約６８°であり、各主ルーバ８および副ルーバ９とも等しくなっている。ただし、これと反対向きの遮光角（図示せず）は図から明らかなように主ルーバ８のみによる遮光角に等しくなっている。
【００２１】
図３は、病室２３の天井に使用した例である。照明器具の取付位置は患者がベッド上に横たわった状態で患者２２の足の付け根部２２ａのほぼ上方である。これにより遮光角６８°とした場合に、患者２２の目には光源１の光が直接目に入らなくなる。
【００２２】
この実施の形態によれば、器具の下方に人が横たわって器具を見上げたときに副ルーバ９により深い遮光角θが得られ、光源１の直射光が見えないためまぶしさを感じないとともに、主ルーバ８同志の間隔を広く確保し、かつ主ルーバ８の高さも低く抑えられるため、コストを低下でき、器具効率が副ルーバ９がないときの器具効率よりも改善される。
【００２３】
この点、副ルーバ９がないときは必要な遮光角を出すため、主ルーバ８のピッチを狭くする必要があるのでます目が多くなり、また主ルーバ８の高さも高くなる。
【００２４】
一方、人が横たわって器具を見上げるのではなく立って器具を見上げた場合には、主ルーバ８のみが見えて副ルーバ９は見えなくできるため意匠的にすっきりし、左右および前後対称に見えるので違和感がなく使用できる。
【００２５】
またランプソケット４は発光しないため器具本体２が暗くなるが、その近傍のルーバは副ルーバ９が離れており、ルーバ開口部を大きくとっているため、どのルーバ開口部からもほぼ均一に光を出すことができ、ルーバ同志の輝度むらが少ない。
【００２６】
さらに、遮光角θが２方向で異なるため、ベッド２１の向きに応じてルーバの取付方向を適宜変更することができる。なお、遮光角θが２方向とも同じになるように構成例えばＬ4 ＝Ｌ5 とした場合はいずれの方向への取付けができるだけとなる。
【００２７】
この発明の第２の実施の形態を図４および図５に示す。これは第１の実施の形態において、器具下方のある架空の点Ａ例えば患者２２の目の近く、から光源１の直射光を遮る遮光角を確保できるように、副ルーバ９ａ〜９ｃの高さをランプソケット４側から非ランプソケット側へ徐々に低くしている。すなわち各副ルーバ９の高さを光源１の先端側の副ルーバ９ｃからランプソケット４側の副ルーバ９ａにかけて順次、Ｌ6 、Ｌ7 、Ｌ8 とするとＬ6 ＜Ｌ7 ＜Ｌ8 である。このようにすると、各副ルーバ９による遮光角の光線が図５に示すようにＡ点に収束した形となる。その他の構成は第１の実施の形態と同様である。
【００２８】
この発明の第３の実施の形態を図６に示す。これは第１の実施の形態において、交差ルーバ１０を除去したものであり、共通部分に同一符号を付している。
【００２９】
【発明の効果】
請求項１記載の照明器具によれば、器具の下方に人が横たわって器具を見上げたときに副ルーバにより深い遮光角が得られ、ランプの直射光が見えないためまぶしさを感じないとともに、主ルーバ同志の間隔を広く確保し、かつ主ルーバの高さも低く抑えられるため、コストを低下でき、器具効率が副ルーバがないときの器具効率よりも改善される。
【００３０】
また人が横たわって器具を見上げるのではなく立って器具を見上げた場合には、主ルーバのみが見えて副ルーバは見えなくできるため意匠的にすっきりし、左右および前後対称に見えるので違和感がなく使用できる。
【００３１】
請求項２記載の照明器具によれば、請求項１と同様な効果のほか、ランプソケットは発光しないため器具本体が暗くなるが、その近傍のルーバは副ルーバが離れており、開口を大きくとっているため、どのルーバ開口部からもほぼ均一に光を出すことができ、ルーバ同志の輝度むらが少ない。
【００３２】
請求項３記載の照明器具によれば、請求項１と同様な効果がある。
【００３３】
請求項４記載の照明器具によれば、請求項１、請求項２または請求項３と同様な効果のほか、遮光角が２方向とも同じ場合は施工後にいずれのかの方向に取付けることができ、遮光角が２方向で異なる場合は施工後にベッドの向きに応じてルーバの取付方向を適宜変更することができる。
【図面の簡単な説明】
【図１】この発明の第１の実施の形態の断面図である。
【図２】図１の縦断面図である。
【図３】使用状態のベッドを側方からみた側面図である。
【図４】第２の実施の形態の断面図である。
【図５】使用状態のベッドを側方からみた側面図である。
【図６】第３の実施の形態を示し、（ａ）は断面図、（ｂ）はその縦断面図である。
【符号の説明】
１    光源
２    器具本体
３    ルーバ
４    ランプソケット
５    誘光開口
８    主ルーバ
９    副ルーバ
１０    交差ルーバ
【図１】
0004023071.tif 000002
【図２】
0004023071.tif 000003
【図３】
0004023071.tif 000004
【図４】
0004023071.tif 000005
【図５】
0004023071.tif 000006
【図６】
0004023071.tif 000007